(57)【要約】【課題】特定の店舗に設置され、その店舗顧客による利用に対して特典を付与することができる貨幣出金装置を提供することを目的とする。特定の店舗の店舗顧客による貨幣出金装置の利用に対して特典を付与することができる貨幣出金システムを提供することを目的とする。【解決手段】ＡＴＭは遊技店舗に設置され、会員管理装置に通信可能に接続されている。ＡＴＭのキャッシュカード挿入／排出口へのキャッシュカードの挿入に関連して、会員カードの会員カード挿入／排出口への挿入が受け付けられる。そして、会員カードに記憶された会員ＩＤが遊技店舗に登録されており、かつこの会員ＩＤに対応する会員の遊技店舗における過去１ヶ月間の利用金額が予め定める第１の金額よりも大きい場合（ステップＳ６でＹＥＳ）は、手数料無料モード（特典付与モード）に移行する（ステップＳ７）。【選択図】図４
2011062440.tif 000002
【特許請求の範囲】
【請求項１】
特定の店舗に設置されて、貨幣を出金するための貨幣出金装置であって、
キャッシュカードが挿入されるカード挿入口と、
前記カード挿入口に挿入されたキャッシュカードに記憶された口座情報に対応する口座に対して引出処理を許可する引出許可手段と、
前記カード挿入口へのキャッシュカードの挿入に関連して、前記特定の店舗の会員に発行した会員情報記憶媒体を受け付ける受付手段と、
前記受付手段によって受け付けられた会員情報記憶媒体に記憶された会員情報を読み取る会員情報読取手段と、
前記会員情報読取手段によって読み取られた会員情報が前記特定の店舗に登録されている場合に、前記引出処理に関連して所定の特典を付与する特典付与手段とを含むことを特徴とする、貨幣出金装置。
【請求項２】
前記特典付与手段は、前記引出処理に必要な手数料の減額または無料化を許可する手段であることを特徴とする、請求項１記載の貨幣出金装置。
【請求項３】
前記特典付与手段は、前記会員情報読取手段によって読み取られた会員情報に対応する会員に対し、前記特定の店舗に登録された会員を対象とするポイントを付与するポイント付与手段であることを特徴とする、請求項１記載の貨幣出金装置。
【請求項４】
前記特典付与手段により付与される前記特典の内容を表示する特典内容表示手段を、さらに含むことを特徴とする、請求項１〜３のいずれか一項に記載の貨幣出金装置。
【請求項５】
前記特典付与手段は、前記会員情報読取手段によって読み取られた会員情報に対応する会員が、前記特定の店舗における利用実績に関する予め定める条件を満たしていることを条件して実行されることを特徴とする、請求項１〜４のいずれか一項に記載の貨幣出金装置。
【請求項６】
前記予め定める条件は、前記会員情報読取手段によって読み取られた会員情報に対応する会員の前記特定の店舗における利用金額に基づいて定められていることを特徴とする、請求項５記載の貨幣出金装置。
【請求項７】
前記予め定める条件は、前記会員情報読取手段によって読み取られた会員情報に対応する会員の前記特定の店舗への来店回数に基づいて定められていることを特徴とする、請求項５記載の貨幣出金装置。
【請求項８】
前記特定の店舗が、遊技機が設置される遊技店舗であり、
前記予め定める条件は、前記会員情報読取手段によって読み取られた会員情報に対応する会員の前記特定の店舗における遊技の勝敗結果に基づいて定められていることを特徴とする、請求項５記載の貨幣出金装置。
【請求項９】
特定の店舗に設置され、貨幣を出金するための貨幣出金装置と、前記貨幣出金装置に通信可能に接続され、前記特定の店舗に登録された会員に関する情報を管理するための管理装置とを含む貨幣出金システムであって、
前記貨幣出金装置は、
キャッシュカードが挿入されるカード挿入口と、
前記カード挿入口に挿入されたキャッシュカードに記憶された口座情報に対応する口座に対して引出処理を許可する引出許可手段と、
前記カード挿入口へのキャッシュカードの挿入に関連して、前記特定の店舗の会員に発行した会員情報記憶媒体を受け付ける受付手段と、
前記受付手段によって受け付けられた会員情報記憶媒体に記憶された会員情報を読み取る会員情報読取手段と含み、さらに、
前記会員情報読取手段によって読み取られた会員情報が前記特定の店舗に登録されているか否かを判定する判定手段と、
前記判定手段によって前記特定の店舗に登録された会員であると判定された場合に、前記引出処理に関連して所定の特典を付与する特典付与手段とを含むことを特徴とする、貨幣出金システム。
【発明の詳細な説明】
【技術分野】
【０００１】
この発明は、遊技店舗や小売店舗などの特定の店舗に設けられ、貨幣を出金するための貨幣出金装置および貨幣出金システムに関する。
【背景技術】
【０００２】
遊技店舗に、ＡＴＭ（Automatic Teller Machine）などの貨幣出金装置を設置することが提案されている（たとえば、特許文献１参照）。貨幣出金装置が設置された遊技店舗では、遊技をしている者／遊技をしようとしている者が貨幣出金装置を用いて貨幣を引き出し、その貨幣を用いて遊技機の遊技を行う。
【先行技術文献】
【特許文献】
【０００３】
【特許文献１】特開平１１−１９７３４８号公報
【発明の概要】
【発明が解決しようとする課題】
【０００４】
遊技店舗では、店舗顧客（当該店舗で遊技機の遊技を行う遊技客）への顧客サービスの向上が検討されている。そして、その遊技店舗の店舗顧客によるＡＴＭの利用に対して特典を付与することが考えられる。一方、ＡＴＭの利用のみを目的として遊技店舗に来店する者に対して特典を付与する必要はない。
これは、遊技店舗に設置される貨幣出金装置だけでなく、コンビニエンスストアやスーパーマーケット、ガソリンスタンドなどの小売店舗に設置される貨幣出金装置にも共通する課題である。
【０００５】
そこで、この発明の目的は、特定の店舗に設置され、その店舗顧客による利用に対して特典を付与することができる貨幣出金装置を提供することである。
また、この発明の他の目的は、特定の店舗の店舗顧客による貨幣出金装置の利用に対して特典を付与することができる貨幣出金システムを提供することである。
【課題を解決するための手段】
【０００６】
請求項１記載の発明は、特定の店舗（１０；１１０）に設置されて、貨幣を出金するための貨幣出金装置（１；１０１）であって、キャッシュカードが挿入されるカード挿入口（１９）と、前記カード挿入口に挿入されたキャッシュカードに記憶された口座情報に対応する口座に対して引出処理を許可する引出許可手段（４０）と、前記カード挿入口へのキャッシュカードの挿入に関連して、前記特定の店舗の会員に発行した会員情報記憶媒体を受け付ける受付手段（２０）と、前記受付手段によって受け付けられた会員情報記憶媒体に記憶された会員情報を読み取る会員情報読取手段（３１）と、前記会員情報読取手段によって読み取られた会員情報が前記特定の店舗に登録されている場合に、前記引出処理に関連して所定の特典を付与する特典付与手段（４０，Ｓ７）とを含むことを特徴とする、貨幣出金装置である。
【０００７】
なお、括弧内の数字は、後述の実施形態における対応構成要素等を表す。以下、この項において同じ。
請求項１の発明によれば、引出許可処理に関連して、会員情報記憶媒体が受付手段に受け付けられる。そして、この会員情報記憶媒体に記憶された会員情報が店舗に登録されている場合は、引出に関連して所定の特典が付与される。これにより、店舗顧客による貨幣出金装置の利用に特典を付与することができる。ゆえに、店舗顧客による貨幣出金装置の利用を促進することができる。また、店舗の会員であることのメリットが大きいので、店舗の会員登録を促進させることができるとともに、会員の再来店率（リピート率）を向上させることができる。
【０００８】
請求項２に記載のように、前記特典付与手段は、前記引出処理に必要な手数料の減額または無料化を許可する手段（４０，Ｓ７）であってもよい。
また、請求項３記載の発明は、前記特典付与手段は、前記会員情報読取手段によって読み取られた会員情報に対応する会員に対し、前記特定の店舗に登録された会員を対象とするポイントを付与するポイント付与手段（４０）であってもよい。
【０００９】
請求項４記載の発明は、前記特典付与手段により付与される前記特典の内容を表示する特典内容表示手段（１８，４０，Ｓ８）を、さらに含むことを特徴とする、請求項１〜３のいずれか一項に記載の貨幣出金装置である。
請求項４の発明によれば、特典の内容が表示されるので、特典の付与およびその特典の内容を、利用者に知らせることができる。
【００１０】
請求項５記載の発明は、前記特典付与手段は、前記会員情報読取手段によって読み取られた会員情報に対応する会員が、前記特定の店舗における利用実績に関する予め定める条件を満たしていることを条件して実行されることを特徴とする、請求項１〜４のいずれか一項に記載の貨幣出金装置である。
請求項５の発明によれば、特定の店舗における利用実績に関する予め定める条件を、会員が満たしている場合のみ、特典が付与される。これにより、特典の付与が必要な会員に対して特典を付与することができる。
【００１１】
請求項６に記載のように、前記予め定める条件は、前記会員情報読取手段によって読み取られた会員情報に対応する会員の前記特定の店舗における利用金額に基づいて定められていてもよい。
請求項７に記載のように、前記予め定める条件は、前記会員情報読取手段によって読み取られた会員情報に対応する会員の前記特定の店舗への来店回数に基づいて定められていてもよい。
【００１２】
請求項８に記載のように、前記特定の店舗が、遊技機が設置される遊技店舗であり、前記予め定める条件は、前記会員情報読取手段によって読み取られた会員情報に対応する会員の前記特定の店舗における遊技の勝敗結果（収支）に基づいて定められていてもよい。
そして、遊技の勝敗結果が悪い場合に、特典が付与されることが好ましい。この場合、店舗顧客（会員）の損失を補填することができる。
【００１３】
請求項９記載の発明は、特定の店舗（１０；１１０）に設置され、貨幣を出金するための貨幣出金装置（１；１０１）と、前記貨幣出金装置に通信可能に接続され、前記特定の店舗に登録された会員に関する情報を管理するための管理装置（２，４；１０２，１０４）とを含む貨幣出金システムであって、前記貨幣出金装置は、キャッシュカードが挿入されるカード挿入口（１９）と、前記カード挿入口に挿入されたキャッシュカードに記憶された口座情報に対応する口座に対して引出処理を許可する引出許可手段（４０）と、前記カード挿入口へのキャッシュカードの挿入に関連して、前記特定の店舗の会員に発行した会員情報記憶媒体を受け付ける受付手段（２０）と、前記受付手段によって受け付けられた会員情報記憶媒体に記憶された会員情報を読み取る会員情報読取手段（３１）と含み、さらに、前記会員情報読取手段によって読み取られた会員情報が前記特定の店舗に登録されているか否かを判定する判定手段と、前記判定手段によって前記特定の店舗に登録された会員であると判定された場合に、前記引出処理に関連して所定の特典を付与する特典付与手段（４０，Ｓ７）とを含むことを特徴とする、貨幣出金システムである。
【００１４】
請求項９の発明によれば、引出許可処理に関連して、会員情報記憶媒体が受付手段に受け付けられる。そして、この会員情報記憶媒体に記憶された会員情報が店舗に登録されている場合は、引出に関連して所定の特典が付与される。これにより、店舗顧客による貨幣出金装置の利用に特典を付与することができる。ゆえに、店舗顧客による貨幣出金装置の利用を促進することができる。また、店舗の会員であることのメリットが大きいので、店舗の会員登録を促進させることができるとともに、会員の再来店率（リピート率）を向上させることができる。
【図面の簡単な説明】
【００１５】
【図１】この発明の第１実施形態にかかる貨幣出金システムの構成を示すブロック図である。
【図２】図１に示すＡＴＭの構成を概略的に示す斜視図である。
【図３】図１に示すＡＴＭおよび会員管理装置の電気的構成を示すブロック図である。
【図４】図１に示すＡＴＭの引出取引／入金取引における処理の流れを示すフローチャートである（その１）。
【図５】図１に示すＡＴＭの引出取引／入金取引における処理の流れを示すフローチャートである（その２）。
【図６Ａ】図１に示す表示／操作部に引出取引時に表示される画面を示す図である（その１）。
【図６Ｂ】図１に示す表示／操作部に引出取引時に表示される画面を示す図である（その２）。
【図６Ｃ】図１に示す表示／操作部に引出取引時に表示される画面を示す図である（その３）。
【図６Ｄ】図１に示す表示／操作部に引出取引時に表示される画面を示す図である（その４）。
【図６Ｅ】図１に示す表示／操作部に引出取引時に表示される画面を示す図である（その５）。
【図６Ｆ】図１に示す表示／操作部に引出取引時に表示される画面を示す図である（その６）。
【図６Ｇ】図１に示す表示／操作部に引出取引時に表示される画面を示す図である（その７）。
【図６Ｈ】図１に示す表示／操作部に引出取引時に表示される画面を示す図である（その８）。
【図７】この発明の第２実施形態にかかる貨幣出金装置の引出取引／入金取引における処理の流れを示すフローチャートである。
【図８】この発明の第３実施形態にかかる貨幣出金装置の引出取引／入金取引における処理の流れを示すフローチャートである。
【図９】この発明の第４実施形態にかかる貨幣出金システムの構成を示すブロック図である。
【図１０】図９に示す会員管理装置の電気的構成を示すブロック図である。
【発明を実施するための形態】
【００１６】
以下では、この発明の実施の形態を、添付図面を参照して詳細に説明する。
図１は、この発明の一実施形態（第１実施形態）にかかる貨幣出金システムの構成を示すブロック図である。図１に示す貨幣出金システムは、遊技機（パチンコ機やパチスロ機）１５とともに遊技店舗（特定の店舗）１０に設置されたＡＴＭ（貨幣出金装置）１と、ＡＴＭ１に対する外部機器として、遊技店舗１０に設置された会員管理装置（管理装置）２とを備えている。ＡＴＭ１と会員管理装置２とは通信可能に接続されている。この貨幣出金システムは、遊技店舗１０で遊技をしている者／遊技をしようとしている者が、銀行口座のキャッシュカード（図示しない）を使用して、貨幣を引き出すことができるようにしたシステムである。
【００１７】
ＡＴＭ１には、公衆回線３を介して情報処理センター５が接続されている。情報処理センター５は、複数の銀行のホストコンピュータ６（図１では、１つのみ図示）と専用の通信回線７を介して通信可能に接続されている。ホストコンピュータ６は、顧客の口座の口座番号等を含む口座情報や、暗証番号、口座残高等の顧客情報を保持して、顧客の口座を管理している。
【００１８】
会員管理装置２には、ＡＴＭ１が専用の通信回線を介して接続されている。会員管理装置２には、カード販売機１１と、精算機１２と、景品管理機１３と、計数機１７と、各遊技機島に設けられた中継装置１４とが通信可能に接続されている。各遊技機島は、パチンコ機やパチスロ機などの遊技機１５と、台間機１６とを一対一に対応付けて複数対配設することにより構成されている。各台間機１６は、その遊技機島に設けられている中継装置１４に通信可能に接続されている。
【００１９】
この遊技店舗１０では、会員登録することにより、所定のサービスを受けることができる店舗会員（以下、「会員」という）になることができる。所定の条件を満たす度に会員にポイントが付与され、その獲得ポイント数に応じて会員に種々のサービス（たとえば、遊技店舗１０内における飲料の提供、遊技機１５の予約など）が提供される。遊技店舗１０に登録された会員には、たとえば種々のデータを記憶可能なＩＣチップが内蔵された会員カードが付与されている。各会員カードのＩＣチップには、会員カードごとに異なるＩＤ番号（会員ＩＤ）のデータが予め記憶されている。
【００２０】
カード販売機１１では、会員カードが投入されるとともに紙幣が投入されることにより、会員用の遊技カードが発行される。この会員用の遊技カードには、会員ＩＤが付されている。一方、会員カードの投入がないまま紙幣投入されると、ビジター用のカードが発行される。カード販売機１１は、発行した遊技カードに関するデータと会員ＩＤとを会員管理装置２に送信する。
【００２１】
遊技客は所望の遊技機１５の前に座り、この遊技機１５と一対一で対応付けられた台間機１６に遊技カードを投入する。これにより、遊技カードに記録されている有価価値データの範囲内で遊技媒体（遊技玉や遊技メダル）が貸し出される。
また、遊技カードを未だ取得していない遊技客は、台間機１６を用いて遊技カードを購入することもできる。台間機１６に会員カードおよび紙幣が投入されると、台間機１６から会員用の遊技カードが発行される。この会員用の遊技カードには、会員ＩＤが付されている。一方、会員カードの投入がないまま紙幣投入されると、ビジター用のカードが発行される。台間機１６は、会員ＩＤと発行した遊技カードに関するデータ（発行額や発行日時）とを会員管理装置２に送信する。
【００２２】
精算機１２は、遊技カードに記録されている有価価値の残度数を精算して、その残高に相当する金額の貨幣を払い戻すものである。精算機１２に挿入される遊技カードが会員用の遊技カードである場合、精算機１２は、精算に関するデータ（精算額や精算日時）と会員ＩＤとを会員管理装置２に送信する。
計数機１７では、会員カードが受け付けられた状態で、遊技媒体（遊技玉や遊技メダル）がホッパ内に投入され、遊技媒体の個数が計数される。計数機１７による遊技媒体の計数値は、会員カードのＩＣチップに記憶される。
【００２３】
景品管理機１３は、会員カードのＩＣチップに記憶された遊技媒体の計数値に基づいて、景品払出装置（図示しない）からその計数値に応じた景品を払い出すものである。景品管理機１３は、会員ＩＤと払い出した景品に関するデータ（景品の種類・枚数や景品交換日時）とを会員管理装置２に送信する。
図２は、ＡＴＭ１の構成を概略的に示す斜視図である。
【００２４】
ＡＴＭ１の装置本体の前面には、表示／操作部１８が配設されている。表示／操作部１８は、タッチパネル付きの液晶表示器により構成されている。表示／操作部１８には、操作ガイダンス、入力情報等の各種情報が表示される。また、利用者は表示／操作部１８の画面上に表示される後述のボタン３２〜３８（図６Ａ〜図６Ｈ参照）に触れることで、ＡＴＭ１における入力操作を行うことができるようになっている。また、表示／操作部１８の下方には、銀行口座のキャッシュカードが挿入／排出されるキャッシュカード挿入／排出口（カード挿入口）１９、会員カードが挿入／排出される会員カード挿入／排出口（受付手段）２０、および明細票が発行される明細票発行口２１が設けられている。
【００２５】
銀行口座のキャッシュカードの磁気ストライプやＩＣチップ等には、銀行のコード（番号）や、利用者（口座所有者）の口座の口座番号を含む口座情報が記憶されている。キャッシュカード挿入／排出口１９に挿入されたキャッシュカードの口座情報は、装置本体内に内蔵されたキャッシュカードリーダ部２２（図３参照）によって読み取られる。そして、取引終了時／取引不能時にはキャッシュカード挿入／排出口１９からキャッシュカードが排出され、利用者に返却される。
【００２６】
会員カード挿入／排出口２０に挿入された会員カードの会員情報（会員ＩＤ）は、装置本体内に内蔵された会員カードリーダ部（会員情報読取手段）３１（図３参照）によって読み取られる。そして、会員情報の読取後／取引不能時には会員カード挿入／排出口２０から会員カードが排出され、利用者に返却される。
また、引出取引／入金取引の終了時には、明細票発行口２１から明細票が排出されて、利用者に対して発行される。明細票は、記録用紙に印字部２３（図３参照）によって取引の内容や取引後の口座残高が印字された後に明細票発行口２１から排出される。
【００２７】
ＡＴＭ１の装置本体には、その前面の下端辺から前側（図２で示す左手前側）に張り出す上面が設けられている。その上面には、紙幣を出入金するための紙幣入出金部２４が設けられている。なお、また、ＡＴＭ１は紙幣のみを取り扱うものであり、そのため、硬貨は取り扱うための硬貨出入金部が備えられていない。
紙幣入出金部２４は、紙幣を集積状態で収容できる紙幣投入／排出空間（図示しない）と、紙幣投入／排出空間の上部開口を開閉するための紙幣シャッタ２５とを備えている。図２では、紙幣シャッタ２５の閉状態を示している。紙幣投入／排出空間は、入金取引時において利用者による紙幣の投入を受け付けるとともに、引出取引時において利用者に払い出された紙幣を、集積状態で収容する。紙幣シャッタ２５の開状態では、利用者による紙幣入出金部２４への紙幣の投入や紙幣入出金部２４からの紙幣の受け取りが可能であり、一方、紙幣シャッタ２５が閉状態になると、紙幣投入／排出空間の上部開口が閉塞されて、利用者による紙幣入出金部２４への紙幣の投入や受取りが不可能になる。また、ＡＴＭ１には、紙幣入出金部２４に投入された紙幣の額を計数する計数部（図示しない）が設けられている。
【００２８】
ＡＴＭ１の装置本体の上面における紙幣入出金部２４の前側（図２で示す左手前側）には、利用者が操作するための入力操作部２６が配設されている。入力操作部２６は、テンキー等のキーを有している。この入力操作部２６を用いて、キャッシュカードの暗証番号や取引金額等が入力される。
遊技店舗１０に設置されるＡＴＭ１には、のめり込み防止などの観点から、次に述べる（１）〜（３）の基準が要求されている。（１）一日あたり予め定める上限額（たとえば３万円）を超える引出取引は不可。（２）クレジット・消費者金融系のカードは使用不可であり、銀行口座のキャッシュカードのみ使用可。（３）銀行口座に残高がある場合のみ、引出取引可。
【００２９】
この実施形態にかかるＡＴＭ１では、引出取引および入金取引が許容されている。また、通常の場合、引出取引に必要な正規の手数料はたとえば「２１０円」であり、入金取引に必要な正規の手数料もたとえば「２１０円」である。
図３は、ＡＴＭ１および会員管理装置２の電気的構成を示すブロック図である。会員管理装置２は、遊技店舗１０に登録された会員のデータを管理するためのコンピュータシステムである。会員管理装置２は、たとえばマイクロコンピュータを含む構成の制御部５０を備えている。この制御部５０には通信部５１が接続されている。制御部５０は、この通信部５１を介してＡＴＭ１と通信を行うことができるようになっている。制御部５０には記憶部５３が接続されている。記憶部５３には、顧客データベース２７が設けられている。
【００３０】
顧客データベース２７は、利用金額データベース２８、来店回数データベース２９および勝敗管理データベース３０を備えている。顧客データベース２７には、たとえば各会員の氏名、住所、電話番号、電子メールアドレスなどの会員固有情報が、各会員の所有する会員カードの会員ＩＤおよび獲得ポイント数などの情報と対応付けて記憶されている。会員固有情報は、たとえば会員登録時に申込者（会員となるべき者）が申込用紙に記入した内容を、遊技店舗１０の従業員が、会員管理装置２に入力したものである。
【００３１】
利用金額データベース２８には、遊技店舗１０における遊技に使用した金額、すなわち、カード販売機１１（図１参照）および／または台間機１６（図１参照）における遊技カードの購入額から、精算機１２（図１参照）における精算額を減算した金額が、各会員の氏名および／または会員ＩＤに対応付けて記憶されている。
来店回数データベース２９には、遊技店舗１０への来店回数が記憶されている。具体的には、カード販売機１１および／または台間機１６における遊技カードの購入回数、精算機１２における精算回数、ならびに景品管理機１３（図１参照）における景品交換回数が、各会員の氏名および／または会員ＩＤに対応付けて記憶されている。
【００３２】
勝敗管理データベース３０には、遊技店舗１０における遊技の収支、すなわち、精算機１２における精算額に、景品管理機１３において景品交換されたその景品の額を加算した金額から、カード販売機１１および／または台間機１６における遊技カードの購入額を減算した金額が、各会員の氏名および／または会員ＩＤに対応付けて記憶されている。
ＡＴＭ１は、たとえばマイクロコンピュータを含む構成の制御部４０を備えている。この制御部４０には制御対象として、紙幣入出金部２４および印字部２３が接続されている。
【００３３】
制御部４０には、キャッシュカードリーダ部２２によって読み取られたキャッシュカードの口座情報が入力されるようになっている。また、会員カードリーダ部３１によって読み取られた会員カードの口座情報が入力されるようになっている。さらに、入力操作部２６が利用者によって操作されると、その操作に応じた入力信号が制御部４０に与えられるようになっている。
【００３４】
また、制御部４０には通信部４１が接続されている。この通信部４１は会員管理装置２の通信部５１と専用回線によって接続されている。制御部４０は通信部４１を介して会員管理装置２と通信を行うことができるようになっている。
また、制御部４０には通信部４２が接続されている。この通信部４２は公衆回線３に接続されている。
【００３５】
さらに、制御部４０には表示／操作部（特典内容表示手段）１８が接続されている。制御部４０は表示／操作部１８の表示を制御し、これにより、操作ガイダンス、入力情報等が表示／操作部１８に表示される。また、表示／操作部１８がタッチパネル付の画面を有しているので、そのタッチパネル付の画面が利用者によって操作されると、その操作に応じた入力信号が制御部４０に与えられる。制御部４０には記憶部４３が接続されている。この記憶部４３には、特典付与モードフラグが備えられている。特典付与モードフラグは、後述する手数料無料モードなどの特典付与モードであるか否かを記憶するためのものであって、特典付与モード中は「１」が記憶され、通常は「０」が記憶される。
【００３６】
このＡＴＭ１には、遊技店舗１０に会員登録された会員に対して所定の特典が付与される特典付与モードが用意されている。この実施形態では、特典の内容は、引出取引および入金取引における手数料の無料化である。また、この実施形態では、特典は遊技店舗１０における利用実績に関する予め定める条件を満たす会員のみに付与される。具体的には、遊技店舗１０における過去１ヶ月間の利用金額が予め定める第１の金額よりも大きい会員に対して付与される。
【００３７】
図４および図５は、ＡＴＭ１の引出取引／入金取引における処理の流れを示すフローチャートである。図６Ａ〜図６Ｈは、引出取引において表示／操作部１８に表示される画面を示す図である。
ＡＴＭ１の待機状態では、表示／操作部１８に図６Ａに示す画面が表示される。この図６Ａに示す画面では、画面の中央部に「ＡＴＭをご利用の方は取引開始ボタンを押してください」とのメッセージが表示され、画面の右下隅に、取引の開始時に利用者が操作するための取引開始ボタン３２が表示される。
【００３８】
利用者によって取引開始ボタン３２が押操作されると（ステップＳ１でＹＥＳ）、表示／操作部１８が図６Ｂに示す画面に切り換わる。図６Ｂに示す画面では、画面の上部に「いらっしゃいませ」とのメッセージが表示されるとともに、画面の右上隅に取引の手続を途中で取り消すために操作される手続取消ボタン３３が表示される。また、画面の中央部には、「カードをお入れください  お取引を開始します」とのメッセージが表示される。手続取消ボタン３３は、図６Ｂに示す画面だけでなく、その後取引終了までに表示される複数の画面（図６Ｄ〜図６Ｈ参照）において表示される。
【００３９】
会員カードが会員カード挿入／排出口２０（図２参照）に挿入されると（ステップＳ２でＹＥＳ）、会員カードのＩＣチップに記憶された会員ＩＤ（会員情報）が会員カードリーダ部３１（図３参照）に読み取られる（ステップＳ３）。会員カードリーダ部３１に読み取られた会員ＩＤは制御部４０に与えられる。会員カードリーダ部３１による読取り後、会員カードは会員カード挿入／排出口２０から返却される（ステップＳ４）。
【００４０】
会員カードリーダ部３１からの会員ＩＤの付与後、制御部４０は、会員管理装置２にＩＤ照合要求および利用金額参照要求を送出する。会員管理装置２の制御部５０は、ＡＴＭ１からのＩＤ照合要求を受信すると、会員カードリーダ部３１に読み取られた会員ＩＤを、顧客データベース２７に記憶されている会員ＩＤと照合し、会員ＩＤがその遊技店舗１０に登録されているか否かを判定する（ステップＳ５）。
【００４１】
会員管理装置２の制御部５０は、ＡＴＭ１からの利用金額参照要求を受信すると、利用金額データベース２８を参照し、過去１ヶ月間の遊技店舗１０における利用金額が、予め定める第１の金額よりも大きいか否かを判定する。そして、この判定結果と会員ＩＤ照合結果とをＡＴＭ１に送信する。
利用金額が予め定める第１の金額よりも大きい場合は（ステップＳ６でＹＥＳ）、ＡＴＭ１の制御部４０は、記憶部４３の特典付与モードフラグに「１」をセットし、手数料無料モード（特典付与モード）に移行する（ステップＳ７）。そして、制御部４０は、表示／操作部１８に図６Ｃに示す画面を表示する（ステップＳ８）。図６Ｃに示す画面では、「あなたは××ホールの会員ですのでお引出しおよび入金の手数料を無料にします」とのメッセージが表示されるとともに、「２１０円」の手数料が無料にされる旨の特典内容が表示される。このように、特典の内容が表示されるので、特典の付与およびその特典の内容（手数料が無料にされること）を、利用者に知らせることができる。
【００４２】
一方、読み取られた会員ＩＤがその遊技店舗１０に登録されていない場合（ステップＳ５でＮＯ）や、過去１ヶ月における利用金額が予め定める第１の金額以下であるときは（ステップＳ６でＮＯ）、ステップＳ７およびステップＳ８はスキップされて、手数料無料モード（特典付与モード）には移行しない。
次いで、利用者が自己所有の銀行口座のクレジットカードを、キャッシュカード挿入／排出口１９に挿入する（ステップＳ９）。キャッシュカードが挿入されると（ステップＳ９でＹＥＳ）、キャッシュカードの磁気ストライプやＩＣチップ等に記憶された口座情報がキャッシュカードリーダ部２２（図３参照）に読み取られて、制御部４０に与えられる（ステップＳ１０）。キャッシュカード挿入／排出口１９に挿入されたカードが、取扱いの対象外である場合（たとえば、他行のキャッシュカードである場合やクレジットカードである場合）や、キャッシュカードリーダ部２２によって口座情報が読み出せない場合は、カードがキャッシュカード挿入／排出口１９から返却される。表示／操作部１８に、ＡＴＭ１の取引可能な時間帯などの案内が表示された後、図６Ｄに示す取引内容選択画面が表示される（ステップＳ１１）。図６Ｄに示す取引内容選択画面では、引出ボタン３４と入金ボタン３５とが表示され、これらのボタン３４，３５の選択操作が可能になっている。
【００４３】
そして、利用者により引出ボタン３４が押操作されると（ステップＳ１２でＹＥＳ）、表示／操作部１８に図６Ｅに示す画面（手数料確認画面）が表示される。図６Ｅに示す画面の上部には、「手数料をご確認のうえよろしければ［お引出し］を押してください。」とのメッセージが表示されるとともに、画面の中央部には、手数料表示が表示される。手数料無料モードが実行されている場合（特典付与モードフラグに「１」が記憶されている場合）は、手数料表示には「０円」と表示される。また、手数料無料モードが実行されていない場合（特典付与モードフラグに「０」が記憶されている場合）は、図６Ｆに示すように手数料表示にはたとえば「２１０円」と表示される。画面の下部には、引出続行ボタン３６が表示される。
【００４４】
引出続行ボタン３６が押操作されると、次いで、利用者に、暗証番号の入力および引出額の入力が要求される。そして、表示／操作部１８にはたとえば図６Ｇに示す画面が表示される。図６Ｇに示す画面は引出額の入力を要求するための画面であり、画面の上部に「金額」とのタイトルが表示され、また、画面の中央部には、「金額を押してください。よろしければ最後に［円］を押してください。」とのメッセージが表示される。画面の下部には、入力された金額が表示されるようになっている。
【００４５】
利用者が入力操作部２６を操作して自己の暗証番号および引出額を入力すると、利用者の銀行口座からの引出額の引出しを許可する口座引出許可処理が実行される（ステップＳ１５，Ｓ１６）。具体的には、制御部４０は、引出額、口座情報、手数料情報および暗証番号を含む引出要求を情報処理センター５へ送出する。このとき、手数料無料モードが実行されている場合（特典付与モードフラグに「１」が記憶されている場合）は（ステップＳ１４でＹＥＳ）、引出要求に含まれる手数料情報が無料化された手数料「０円」であり（ステップＳ１５）、手数料無料モードが実行されていない場合（特典付与モードフラグに「０」が記憶されている場合）は（ステップＳ１４でＮＯ）、引出要求に含まれる手数料情報が正規の手数料「２１０円」である（ステップＳ１６）。
【００４６】
情報処理センター５は、ＡＴＭ１からの引出要求を受信すると、当該引出要求に含まれる口座情報に対応する口座のその日における引出額に今回の引出額を併せた額が、予め定める上限額（たとえば３万円）を超えないか否かをチェックする。予め定める上限額を超えない場合、情報処理センター５は、対応する銀行のホストコンピュータ６に対し、通信回線７を介して決済処理を依頼する。ホストコンピュータ６は、口座情報が正常であり、かつ暗証番号がホストコンピュータ６に登録されている当該口座の暗証番号と一致することを条件として決済処理を行う。
【００４７】
具体的には、引出要求に含まれる手数料情報が無料化された手数料「０円」である場合は、ホストコンピュータ６は、その口座情報に対応する口座から、決済要求に含まれる出金データ分を減算して、決済処理を行う。
利用者の手数料を無料化しているので、本来利用者が支払うべき「２１０円」は遊技店舗の口座からシステム利用料の「５０円」と合わせて決済することになる。
また、引出要求に含まれる手数料情報が正規の手数料「２１０円」である場合は、ホストコンピュータ６は、その口座情報に対応する口座から、出金データ分および手数料「２１０円」を減算するとともに、遊技店舗１０の店舗口座からシステム利用料「５０円」を減算して、決済処理を行う。
【００４８】
決済処理が終了すると、ホストコンピュータ６は、情報処理センター５に処理完了の通知を行う。処理完了の通知を受けた情報処理センター５は、処理完了通知をＡＴＭ１に対して行う。処理完了の通知をＡＴＭ１の通信部４２が受信することにより、ステップＳ１５，Ｓ１６の口座引出許可処理が終了する。
情報処理センター５からの処理完了通知を通信部４２が受信すると、収納部（図示しない）に収納されている紙幣が、紙幣入出金部２４の紙幣投入／排出空間（図示しない）に搬送され、紙幣投入／排出空間に集積された状態で排出される（Ｓ１７：出金処理）。紙幣投入／排出空間への紙幣の排出後、紙幣シャッタ２５が開状態にされて、紙幣入出金部２４の紙幣投入／排出空間の上部開口が開放される。これにより、紙幣投入／排出空間からの紙幣の取出しが可能になる。
【００４９】
次いで、紙幣入出金部２４の紙幣投入／排出空間から紙幣が取り出されると、表示／操作部１８に図６Ｈに示す取引内容表示画面が表示される。図６Ｈに示す取引内容表示画面では、画面の上部に「お取引内容をご確認のうえ明細票必要・不要を選択してください。」というメッセージが表示される。画面の上下方向の中央部には、取引金額、手数料および取引後の口座残高が表示される。画面の下方部には、明細票必要ボタン３７と明細票不要ボタン３８とが左右に並べて配置される。
【００５０】
そして、明細票必要ボタン３７が押操作されると、キャッシュカード挿入／排出口１９からキャッシュカードが排出されて、このキャッシュカードが利用者に返却される（ステップＳ１８）。また、印字部２３が制御されて、記録用紙に取引内容、手数料および取引後口座残高が印字されて明細票発行口２１から排出される。こうして、明細票として利用者に発行される（ステップＳ１９）。これにより、一連の引出取引が終了する。また、明細票不要ボタン３８が押操作されると、ステップＳ１９の処理はスキップされて、キャッシュカードの返却のみが実行される（ステップＳ１８）。
【００５１】
なお、引出額（に手数料を加算した額）が引出しの対象となる銀行口座の口座残高よりも少ない場合は、ホストコンピュータ６は、決済処理を実行せずに、残高不足の旨を情報処理センター５に通知する。残高不足の通知を受けた情報処理センター５は、残高不足の通知をＡＴＭ１に対して行う。そして、表示／操作部１８にその旨が表示されるとともに、キャッシュカード挿入／排出口１９からキャッシュカードが排出されて、キャッシュカードが利用者に返却される。
【００５２】
次に、入金取引における処理の流れを説明する。
図６Ｄに示す取引内容選択画面において、利用者により入金ボタン３５が押操作されると（ステップＳ１２でＮＯ、ステップＳ２０でＹＥＳ）、利用者に対して暗証番号の入力が要求される。利用者が入力操作部２６を操作して暗証番号を入力すると、紙幣入出金部２４の紙幣シャッタ２５が開状態にされて、紙幣入出金部２４の紙幣投入／排出空間の上部開口が開放される（ステップＳ２１）。これにより、紙幣入出金部２４への紙幣の投入が可能になる。そして、利用者によって紙幣入出金部２４に紙幣が投入されると（ステップＳ２２でＹＥＳ）、紙幣シャッタ２５が閉状態にされた後、紙幣入出金部２４に投入された紙幣が計数部（図示しない）によって計数される。紙幣の計数後、表示／操作部１８には入金額（投入額）が表示される。利用者によって入金額の確認が行われると、次いで、銀行口座への入金を許可する口座入金許可処理が実行される（ステップＳ２４，Ｓ２５）。この口座入金許可処理においては、制御部４０は、入金額、口座情報、手数料情報および暗証番号を含む入金要求を情報処理センター５に送出する。このとき、手数料無料モードが実行されている場合（特典付与モードフラグに「１」が記憶されている場合）は（ステップＳ２３でＹＥＳ）、入金要求に含まれる手数料情報が無料化された手数料「０円」であり（ステップＳ２５）、手数料無料モードが実行されていない場合（特典付与モードフラグに「０」が記憶されている場合）は（ステップＳ２３でＮＯ）、入金要求に含まれる手数料情報が正規の手数料「２１０円」である（ステップＳ２４）。
【００５３】
情報処理センター５は、ＡＴＭ１からの入金要求を受信すると、入金要求に含まれている口座情報に基づき、いずれの銀行のホストコンピュータ６にその入金要求を通知すべきかを判断し、対応する銀行のホストコンピュータ６に対し、通信回線７を介して決済処理を依頼する。ホストコンピュータ６は、口座情報が正常であり、かつ暗証番号がホストコンピュータ６に登録されている当該口座の暗証番号と一致することを条件として決済処理を行う。
【００５４】
具体的には、入金要求に含まれる手数料情報が無料化された手数料「０円」である場合は、ホストコンピュータ６は、その口座情報に対応する口座から、決済要求に含まれる入金データ分を加算して、決済処理を行う。
利用者の手数料を無料化しているので、本来利用者が支払うべき「２１０円」は遊技店舗の口座からシステム利用料の「５０円」と合わせて決済することになる。
【００５５】
また、入金要求に含まれる手数料情報が正規の手数料「２１０円」である場合は、ホストコンピュータ６は、その口座情報に対応する口座に対し、入金要求に含まれる入金データ分を加算するとともに手数料における手数料「２１０円」を減算し、かつ、遊技店舗１０の店舗口座からシステム利用料「５０円」を減算して、決済処理を行う。
当該口座に対する決済処理が終了すると、ホストコンピュータ６は、情報処理センター５に処理完了の通知を行う。また、処理完了の通知を受けた情報処理センター５は、処理完了通知をＡＴＭ１に対して行う。処理完了の通知をＡＴＭ１の通信部４２が受信することにより、ステップＳ２４，Ｓ２５の口座入金許可処理が終了する。
【００５６】
情報処理センター５からの処理完了通知を通信部４２が受信すると、紙幣が、収納部（図示しない）に搬送され、その収納部に収納される。
さらに、情報処理センター５からの処理完了通知の受信に応答して、表示／操作部１８に図６Ｈの取引内容表示画面と同様の画面が表示される。そして、明細票必要ボタン３７が押操作されると、キャッシュカード挿入／排出口１９からキャッシュカードが排出されて、このキャッシュカードが利用者に返却される（ステップＳ１８）。また、印字部２３が制御されて、記録用紙に取引内容、手数料および取引後口座残高が印字されて、明細票発行口２１から排出される。こうして、明細票として利用者に発行される（ステップＳ１９）。これにより、一連の入金取引が終了する。また、明細票不要ボタン３８が押操作されると、ステップＳ１９の処理はスキップされて、キャッシュカードの返却のみが実行される（ステップＳ１８）。
【００５７】
以上によりこの実施形態によれば、ＡＴＭ１における引出取引／入金取引の際に、会員カードの会員カード挿入／排出口２０への挿入が受け付けられる。そして、会員カードに記憶された会員ＩＤが遊技店舗１０に登録されており、かつこの会員ＩＤに対応する会員の遊技店舗１０における過去１ヶ月間の利用金額が予め定める第１の金額よりも大きい場合は、その引出取引／入金取引に必要な手数料が無料にされる。これにより、遊技店舗１０の顧客によるＡＴＭ１の利用に特典を付与することができる。ゆえに、遊技店舗１０の顧客のＡＴＭ１の利用を促進することができる。また、遊技店舗１０の会員であるメリットが大きくなるので、遊技店舗１０の会員登録を促進させることができるとともに、会員の再来店率（リピート率）を向上させることができる。
【００５８】
図７は、この発明の他の実施形態（第２実施形態）にかかるＡＴＭ１の引出取引／入金取引における処理の流れを示すフローチャートである。この図７は、第１実施形態の引出取引／入金取引における処理の流れを示すフローチャートである図４および図５のうち、図４に代えて用いられるものである。この第２実施形態において、前述の図１〜図６の実施形態（第１実施形態）に示された各部に対応する部分には、図１〜図６の場合と同一の参照符号を付して示し、説明を省略する。とくに、図４に示された各工程を対応する工程には、図４の場合と同一の参照符号を付して示し、説明を省略する。
【００５９】
この第２実施形態が第１実施形態と相違する点は、遊技店舗１０における過去１ヶ月間の来店回数が予め定める回数よりも多い会員に、特典が付与される点である。
具体的には、会員カードリーダ部３１による会員ＩＤ（会員情報）の読取り（ステップＳ４）後、制御部４０が会員管理装置２に来店回数参照要求を送出する。会員管理装置２の制御部５０は、ＡＴＭ１からの来店回数参照要求を受信すると、来店回数データベース２９を参照し、会員ＩＤに対応する会員の過去１ヶ月間の遊技店舗１０への来店回数が、予め定める回数よりも大きいか否かを判定する。そして、この判定結果がＡＴＭ１に送信される。
【００６０】
来店回数が予め定める回数よりも多い場合は（ステップＳ３２でＹＥＳ）、記憶部４３の特典付与モードフラグに「１」をセットし、手数料無料モード（特典付与モード）に移行する（ステップＳ７）。そして、制御部４０は、表示／操作部１８に図６Ｃに示す画面を表示する（ステップＳ８）。
一方、過去１ヶ月間の遊技店舗１０への来店回数が、予め定める回数以下であるときは（ステップＳ３２でＮＯ）、手数料無料モードには移行しない。
【００６１】
図８は、この発明のさらに他の実施形態（第３実施形態）にかかるＡＴＭ１の引出取引／入金取引における処理の流れを示すフローチャートである。この図８は、第１実施形態の引出取引／入金取引における処理の流れを示すフローチャートである図４および図５のうち、図４に代えて用いられるものである。この第３実施形態において、前述の図１〜図６の実施形態（第１実施形態）に示された各部に対応する部分には、図１〜図６の場合と同一の参照符号を付して示し、説明を省略する。とくに、図４に示された各工程を対応する工程には、図４の場合と同一の参照符号を付して示し、説明を省略する。
【００６２】
この第３実施形態が第１実施形態と相違する点は、遊技店舗１０における遊技の過去１ヶ月間の収支（勝敗結果）が悪い会員に特典が付与される点である。
具体的には、会員カードリーダ部３１による会員ＩＤ（会員情報）の読取り（ステップＳ４）後、制御部４０が会員管理装置２に収支参照要求を送出する。会員管理装置２の制御部５０は、ＡＴＭ１からの収支参照要求を受信すると、勝敗管理データベース３０を参照し、会員ＩＤに対応する会員の過去１ヶ月間の遊技店舗１０における遊技の収支が、予め定める基準よりも悪いか否かを判定する。この実施形態では、遊技店舗１０における収支が赤字である場合（収入より支出が超過している状態）に、その赤字額が予め定める第２の金額を超えているか否かが判定される。そして、この判定結果がＡＴＭ１に送信される。
【００６３】
ＡＴＭ１の制御部４０は、遊技店舗１０の遊技の収支の赤字額が予め定める第２の金額よりも大きい場合は（ステップＳ４２でＹＥＳ）、記憶部４３の特典付与モードフラグに「１」をセットし、手数料無料モード（特典付与モード）に移行する（ステップＳ７）。そして、制御部４０は、表示／操作部１８に図６Ｃに示す画面を表示する（ステップＳ８）。
【００６４】
一方、遊技店舗１０における過去１ヶ月間の遊技の収支の赤字額が予め定める第２の金額以下であるときは（ステップＳ４２でＮＯ）、手数料無料モードには移行しない。
この実施形態では、遊技店舗１０における遊技の収支が悪い場合に手数料無料モードが実行される。これにより、顧客（会員）の損失を補填することができる。
図９は、この発明の第４実施形態にかかる貨幣出金システムの構成を示すブロック図である。図１０は、図９に示す会員管理装置（管理装置）１０２の電気的構成を示すブロック図である。この第４実施形態において、前述の図１〜図６の実施形態（第１実施形態）に示された各部に対応する部分には、図１〜図６の場合と同一の参照符号を付して示し、説明を省略する。
【００６５】
この第４実施形態が第１実施形態と大きく相違する点は、ＡＴＭ１０１が遊技店舗１０ではなく、コンビニエンスストアやスーパーマーケット、ガソリンスタンドなどの小売店舗（特定の店舗）１１０に設置されている点である。
図９に示す貨幣出金システムは、小売店舗１１０に設置されたＡＴＭ（貨幣出金装置）１０１と、ＡＴＭ１０１に対する外部機器として、小売店舗１１０に設置された会員管理装置１０２とを備えている。ＡＴＭ１０１と会員管理装置１０２とは通信可能に接続されている。この貨幣出金システムは、小売店舗１１０で商品を購入している者／商品を購入しようとしている者が、銀行口座のキャッシュカード（図示しない）を使用して、貨幣を引き出すことができるようにしたシステムである。
【００６６】
各小売店舗１１０には、会員管理装置１０２が設置されている。会員管理装置１０２には、ＡＴＭ１０１が専用の通信回線を介して接続されている。
この小売店舗１１０では、小売店舗１１０に会員登録することにより、所定のサービスを受けることができる店舗会員（以下、「会員」という）になることができる。所定の条件を満たす度に会員にポイントが付与され、その獲得ポイント数に応じて会員に種々のサービス（たとえば、商品券への交換、景品・商品への交換、記念品の付与、他の有価価値情報への交換など）が提供される。小売店舗１１０に登録された会員には、たとえば種々のデータを記憶可能なＩＣチップが内蔵された会員カードが付与されている。各会員カードのＩＣチップには、会員カードごとに異なるＩＤ番号（会員ＩＤ）のデータが予め記憶されている。会員管理装置２は、小売店舗１１０において商品の精算を行うためのレジスタ（図示しない）に通信回線を通して接続されている。
【００６７】
このレジスタでは、商品の精算に関連して、会員カードの会員ＩＤ（会員情報）が読み取られる。そして、レジスタで精算が行われると、レジスタは、商品購入に関するデータ（商品購入額、購入商品種別、購入日時など）および会員ＩＤを会員管理装置１０２に送信する。
ＡＴＭ１０１は、第１〜第３実施形態のＡＴＭ１（とくに図２参照）とほぼ同等の構成を備えており、引出取引および入金取引を行うことが可能である。その引出取引／入金取引の際に、会員カードの会員カード挿入／排出口２０（図２参照）への挿入が受け付けられる。そして、ＡＴＭ１０１では、図４および図５と同等の流れで、引出取引および入金取引が行われる。
【００６８】
しかしながら、ＡＴＭ１０１は小売店舗１１０に設置されているので、遊技店舗１０に設置されるＡＴＭ１に要求される基準（前述の（１）〜（３）の基準）を満たす必要はない。
会員管理装置１０２は、小売店舗１１０に登録された会員のデータを管理するためのコンピュータシステムである。会員管理装置１０２は、たとえばマイクロコンピュータを含む構成の制御部１２０を備えている。この制御部１２０には通信部１２１が接続されている。制御部１２０は、この通信部１２１を介してＡＴＭ１０１と通信を行うことができるようになっている。会員管理装置１０２の制御部１２０には、記憶部１２３が接続されている。記憶部１２３には、顧客データベース１２４が設けられている。顧客データベース１２４は、利用金額データベース１２５および来店回数データベース１２６を備えている。顧客データベース１２４には、たとえば各会員の氏名、住所、電話番号、電子メールアドレスなどの会員固有情報が、各会員の所有する会員カードの会員ＩＤおよび累積獲得ポイント数などの情報と対応付けて記憶されている。会員固有情報は、たとえば会員登録時に申込者（会員となるべき者）が申込用紙に記入した内容を、小売店舗１１０の従業員が会員管理装置１０２に入力したものである。
【００６９】
利用金額データベース１２５には、小売店舗１１０における利用金額、すなわちレジスタから送信された購入額が、各会員の氏名および／または会員ＩＤに対応付けて記憶されている。
来店回数データベース１２６には、小売店舗１１０への来店回数、すなわち商品の精算回数が、各会員の氏名および／または会員ＩＤに対応付けて記憶されている。
【００７０】
ＡＴＭ１０１の記憶部１２３には、特典付与モードフラグが備えられている。特典付与モードフラグは、手数料無料モードなどの特典付与モードであるか否かを記憶するためのものであって、特典付与モード中は「１」が記憶され、通常は「０」が記憶される。
このＡＴＭ１０１には、小売店舗１１０に会員登録された会員に対して所定の特典が付与される特典付与モードが用意されている。この実施形態では、特典の内容は、引出取引および入金取引における手数料の無料化である。また、この実施形態では、特典は小売店舗１１０における利用実績に関する予め定める条件を満たす会員、とくに、小売店舗１１０における過去１ヶ月間の商品購入金額が予め定める第１の金額よりも大きい会員に対して付与される。
【００７１】
具体的には、会員カードリーダ部２０による会員ＩＤ（会員情報）の読取り後、ＡＴＭ１０１の制御部４０が会員管理装置１０２にＩＤ照合要求および利用金額参照要求を送出する。会員管理装置１０２の制御部１２０は、ＡＴＭ１０１からのＩＤ照合要求を受信にともなって会員ＩＤが一致するか否かの判定を行う。また、ＡＴＭ１０１からの利用金額参照要求を受信すると利用金額データベース１２５を参照し、具体的には、会員カードリーダ部３１からの会員ＩＤの取得後、ＡＴＭ１０１の制御部４０は、会員管理装置１０２にＩＤ照合要求および利用金額参照要求を送出する。会員管理装置１０２の制御部１２０は、ＡＴＭ１０１からのＩＤ照合要求を受信すると、利用金額データベース１２５を参照し、過去１ヶ月間の小売店舗１１０における利用金額が、予め定める第１の金額よりも大きいか否かを判定する。そして、この判定結果と会員ＩＤ照合結果とをＡＴＭ１０１に送信する。
【００７２】
ＡＴＭ１０１の制御部４０は、小売店舗１１０における利用金額が予め定める第１の金額よりも大きい場合は、記憶部４３の特典付与モードフラグに「１」をセットし、手数料無料モード（特典付与モード）に移行する。
一方、読み取られた会員ＩＤがその小売店舗１１０に登録されていない場合や、過去１ヶ月間の利用金額が予め定める第１の金額以下であるときは、手数料無料モード（特典付与モード）には移行しない。
【００７３】
以上により第４実施形態によれば、ＡＴＭ１０１における引出取引／入金取引の際に、会員カードの会員カード挿入／排出口２０への挿入が受け付けられる。そして、会員カードに記憶された会員ＩＤが小売店舗１１０に登録されており、かつこの会員ＩＤに対応する会員の小売店舗１１０における過去１ヶ月間の利用金額が予め定める第１の金額よりも大きい場合は、その引出取引／入金取引に必要な手数料が無料にされる。これにより、小売店舗１１０の顧客によるＡＴＭ１０１の利用に特典を付与することができる。ゆえに、小売店舗１１０の顧客のＡＴＭ１０１の利用を促進することができる。また、小売店舗１１０の会員であるメリットが大きくなるので、小売店舗１１０の会員登録を促進させることができるとともに、会員の再来店率（リピート率）を向上させることができる。
【００７４】
以上、この発明の４つの実施形態について説明したが、この発明は、他の形態で実施することもできる。
第４実施形態において、小売店舗１１０における過去１ヶ月間の来店回数が予め定める回数よりも多い会員に、特典が付与されていてもよい点である。
具体的には、会員管理装置１０２の制御部１２０が来店回数データベース１２６を参照し、会員ＩＤに対応する会員の過去１ヶ月間の小売店舗１１０への来店回数が、予め定める回数よりも大きいか否かを判定し、その判定結果に基づいて、ＡＴＭ１０１の制御部４０が手数料無料モードに移行するものであってもよい。
【００７５】
また、図１に二点鎖線で示すように、各遊技店舗１０の会員管理装置２には、系列の複数の遊技店舗１０の会員情報を管理する会員管理サーバ４が通信可能に接続されており、第１〜第３実施形態において会員管理装置２で管理されている顧客データベース（利用金額データベース、来店回数データベースおよび勝敗管理データベース）が、会員管理装置２とともに／会員管理装置２に代えて、会員管理サーバ４で管理されていてもよい。さらに、図９に二点鎖線で示すように、各小売店舗１１０の会員管理装置１０２には、系列の複数の小売店舗１１０の会員情報を管理する会員管理サーバ（管理装置）１０４が通信可能に接続されており、図９の実施形態において会員管理装置１０２で管理されている顧客データベース（利用金額データベースおよび来店回数データベース）が、会員管理装置１０２とともに／会員管理装置１０２に代えて、会員管理サーバ１０４で管理されていてもよい。これらの場合、会員管理サーバ４，１０４（の制御部）が、ステップＳ６の判定、ステップＳ３２の判定およびステップＳ４２の判定を行ってもよい。
【００７６】
また、前述の各実施形態では、ステップＳ６の判定、ステップＳ３２の判定およびステップＳ４２の判定の主体が会員管理装置２，１０２の制御部５０，１２０であるとして説明したが、ＡＴＭ１，１０１の制御部４０とすることもできる。この場合、会員管理装置２，１０２の制御部５０，１２０は、利用金額データベース２８，１２５、来店回数データベース２９，１２６、勝敗管理データベース３０を参照して、利用金額、来店回数または収支を取得してＡＴＭ１，１０１に送信する。そして、ＡＴＭ１，１０１の制御部４０は、各情報（利用金額、来店回数または収支）に基づいて、特典付与モードを実行するか否かの判定（ステップＳ６の判定、ステップＳ３２の判定またはステップＳ４２の判定）を行う。
【００７７】
また、前述の各実施形態では、会員カードリーダ部３１による会員カードの会員情報（会員ＩＤ）の読み取り後（図４のステップＳ３）の後に、キャッシュカードリーダ部２２によるキャッシュカードの口座情報の読み取りが行われる（図５のステップＳ１０）ものについて説明したが、会員カードリーダ部３１による会員情報（会員ＩＤ）の読み取りに先立って、キャッシュカードリーダ部２２による口座情報の読み取りが行われるようにしてもよい。
【００７８】
さらに、前述の各実施形態では、ＡＴＭ１，１０１には、キャッシュカードの口座情報を読み取るキャッシュカードリーダ部２２と、会員カードの会員情報（会員ＩＤ）を読み取る会員カードリーダ部３１とが個別に設けられる構成について説明したが、キャッシュカードの口座情報と会員カードの会員情報（会員ＩＤ）とを共通のカードリーダ部によって読み取る構成とすることもできる。
【００７９】
また、前述の各実施形態では、ＡＴＭ１，１０１の装置本体には、キャッシュカードが挿入／排出されるキャッシュカード挿入／排出口１９と、会員カードが挿入／排出される会員カード挿入／排出口２０とが個別に設けられる構成について説明したが、キャッシュカードおよび会員カードが、共通のカード挿入／排出口を通ってＡＴＭ１，１０１の装置本体内に挿入される構成とすることもできる。
【００８０】
さらに、前述の各実施形態において、特典付与モードとして、引出処理に必要な手数料が減額された手数料減額モードが採用されていてもよい。手数料減額モードで引出取引／入金取引を行う際には、図６Ｅに示す画面（手数料確認画面）で減額後の手数料が表示されていてもよい。また、手数料減額モード時における手数料は、通常時の手数料（たとえば２１０円）の半額（１０５円）であってもよい。
【００８１】
また、特典付与モードとして、手数料無料モードや手数料減額モードに代えて、会員にポイントを付与するポイント付与モードが採用されてもよい。この場合、管理装置２，１０２／会員管理サーバ４，１０４の制御部５０，１２０が記憶部５３，１２３の顧客データベース２７，１２４内のポイントの値を所定値だけ加算し、更新する。
また、特典付与モードの実行の判断基準になる遊技店舗１０における利用金額（すなわち、利用金額データベース２８に記憶される金額）を、遊技カードの購入額から遊技カードの精算額を減算した金額ではなく、遊技カードの購入額としてもよい。
【００８２】
さらに、前述の各実施形態では、特典付与モードの実行の判断基準である、店舗１０，１１０における利用実績（利用金額、来店回数または遊技の収支）の対象期間を過去１ヶ月間としていたが、この対象期間はこれに限られず、たとえば過去２ヶ月における利用実績であってもよい。また、対象期間がなく、利用実績の累積の値を特典付与モードの実行の判断基準にしてもよい。
【００８３】
また、特典付与モードの実行の判断基準である、店舗１０，１１０における利用実績を、第１および第４実施形態では店舗１０，１１０における利用金額とし、第２実施形態では遊技店舗１０，１１０への来店回数とし、第３実施形態では遊技店舗１０における遊技の収支としたが、店舗１０，１１０における利用実績は、これらの組合せ（たとえば店舗１０，１１０における利用金額と当該店舗１０，１１０への来店回数との組合せ）であってよい。
【００８４】
さらに、店舗１０，１１０における利用実績が、会員の所定の期間における獲得ポイントや、累積の獲得ポイントに基づくものであってもよい。
また、前述の各実施形態では、店舗１０，１１０における利用実績に関する予め定める条件を満たす会員にのみ特典が付与されるとして説明したが、会員の利用実績に関わりなく、会員であれば一様に特典が付与されるようにしてもよい。
【００８５】
また、前述の各実施形態では、会員情報記憶媒体として会員カードを例に挙げて説明したが、会員情報記憶媒体として携帯電話機などの携帯情報端末を用いることもできる。この場合、ＡＴＭ１，１０１の受付手段としては、リーダライタを用いることができる。
携帯情報端末はＩＣチップを有している。利用者が携帯情報端末をリーダライタにかざすことにより、携帯情報端末とリーダライタとの間で非接触通信が行われ、リードライタは、携帯情報端末のＩＣチップのＩＤｍ（チップ製造番号）を取得することができる。ＩＤｍは、ＩＣチップごとに異なるもの（固有の番号）であり、かざされた携帯情報端末が同一のものであるか否かを判定することに用いられる。このＩＤｍを会員情報として、会員ＩＤとともに／会員ＩＤに代えて管理することにより、このＩＤｍを会員判定の基準として用いることができる。
【００８６】
さらに、ＡＴＭ１，１０１は、引出取引および入金取引だけを行えるものとして説明したが、その他、残高照会処理や、振込み取引が行えるものであってもよい。
また、利用客に付与される所定の特典の内容が段階的に変化（向上）するものであってもよい。たとえば、来店率が増えるのに従って手数料の減額率が高くなるように設定してもよい。具体的には、１ヶ月当たりＡ回（たとえば５回）来店すれば手数料が１００円引きになり、その後、来店数が１ヶ月当たりＢ回（Ｂ＞Ａ。たとえば８回）になれば手数料が１５０円引きになり、さらにその後、来店数が１ヶ月当たりＣ回（Ｃ＞Ｂ。たとえば１０回）になれば手数料が無料にすることが考えられる。
【００８７】
さらにまた、前述の実施形態では、ＡＴＭ１，１０１として、硬貨を取り扱わず紙幣だけを取り扱うものを例に挙げて説明したが、ＡＴＭ１，１０１が硬貨および紙幣の両方を取り扱うものであってもよいし、硬貨のみを取り扱うものであってもよい。
さらにまた、ＡＴＭ１，１０１に、ＡＴＭの装置本体とは別に会員サービス用の子機を設けてもよい。この場合、会員サービス用の子機は、会員カード挿入／排出口２０のような、会員カード（会員情報記憶媒体）を受け付ける受付手段を有しており、会員管理装置２，１０２や会員管理サーバ４，１０４に接続されている。これにより、ＡＴＭ１，１０１としては、標準のＡＴＭを用いることができる。これにより、標準ＡＴＭに追加機能を付加する構成とすることができるので、機能の追加を簡単に行える。
【００８８】
その他、特許請求の範囲に記載された事項の範囲で種々の設計変更を施すことが可能である。
【符号の説明】
【００８９】
１  ＡＴＭ（貨幣出金装置）
２  会員管理装置（管理装置）
４  会員管理サーバ（管理装置）
１０  遊技店舗（特定の店舗）
１８  表示／操作部（特典内容表示手段）
１９  キャッシュカード挿入／排出口（カード挿入口）
２０  会員カード挿入／排出口（受付手段）
３１  会員カードリータ部（会員情報読取手段）
４０  制御部
１０１  ＡＴＭ（貨幣出金装置）
１０２  会員管理装置（管理装置）
１０４  会員管理サーバ（管理装置）
１１０  小売店舗（特定の店舗）
【図１】
2011062440.tif 000003
【図２】
2011062440.tif 000004
【図３】
2011062440.tif 000005
【図４】
2011062440.tif 000006
【図５】
2011062440.tif 000007
【図６Ａ】
2011062440.tif 000008
【図６Ｂ】
2011062440.tif 000009
【図６Ｃ】
2011062440.tif 000010
【図６Ｄ】
2011062440.tif 000011
【図６Ｅ】
2011062440.tif 000012
【図６Ｆ】
2011062440.tif 000013
【図６Ｇ】
2011062440.tif 000014
【図６Ｈ】
2011062440.tif 000015
【図７】
2011062440.tif 000016
【図８】
2011062440.tif 000017
【図９】
2011062440.tif 000018
【図１０】
2011062440.tif 000019